(57)【要約】【課題】  異なる方向から見たときに、互いに異なる映像を同時に見ることができる表示パネルおよび表示装置において、映像の歪みを低減する。【解決手段】  表示パネル２は、正面から見たときの左右方向のうち、視点６１から見たときに第１の映像を映し出すための第１画素としてのａ１画素３１、ａ２画素３２およびａ３画素３３と、視点６２から見たときに第２の映像を映し出すための複数の第２画素としてのｂ１画素３４、ｂ２画素３５およびｂ３画素３６とを備える。上記の複数の第１画素および上記の複数の第２画素は、上記の左右方向に沿って面積が異なるものが並べられている。【選択図】        図１
2005257758.tif 000002
【特許請求の範囲】
【請求項１】
正面から見たときの左右方向のうち、一方から見たときに第１の映像を映し出すための複数の第１画素と、
前記左右方向のうち、他方から見たときに第２の映像を映し出すための複数の第２画素と
を備え、
前記複数の第１画素および前記複数の第２画素のうち少なくとも一方は、前記左右方向に沿って面積が異なるものが並べられている、表示パネル。
【請求項２】
前記複数の第１画素および前記複数の第２画素のうち少なくとも一方は、前記左右方向に沿って、１つの画素あたりの面積が徐々に変化するように形成された、請求項１に記載の表示パネル。
【請求項３】
前記複数の第１画素と前記複数の第２画素とは、互いに隣り合うように形成され、
互いに隣り合って対応する１つの前記第１画素の面積と１つの前記第２画素の面積とを合せた面積が、ほぼ一定になるように形成された、請求項１または２に記載の表示パネル。
【請求項４】
前記複数の第１画素および前記複数の第２画素のうち少なくとも一方は、複数の絵素に分割されている、請求項１から３のいずれかに記載の表示パネル。
【請求項５】
請求項１から４のいずれかに記載の表示パネルを備える、表示装置。
【発明の詳細な説明】
【技術分野】
【０００１】
本発明は、表示パネルおよびこれを備えた表示装置に関する。特に、表示装置に対して異なる方向から見たときに、互いに異なる映像を同時に見ることができるデュアル・ビュー・ディスプレイ装置に関する。
【背景技術】
【０００２】
カーナビゲーション装置などの表示装置においては、複数の視聴者が同時に映像を視聴する。車載用の表示装置においては、運転席側の視聴者と、助手席側の視聴者とが１つの表示装置を見ることがある。この際、たとえば、運転席側の視聴者は、主に地図が表示された映像を見ることを希望して、助手席側の視聴者は、主にテレビジョン受像機の映像を見ることを希望することがあり得る。このような場合を考慮して、それぞれの視聴者に対して、異なる映像を表示することができる表示装置の開発が行なわれている。
【０００３】
特開平２−１４４２４２号公報においては、表示装置が回転可能に形成され、表示装置の回転角度を検出することによって映像信号を切換えて、それぞれの異なる映像を表示する表示装置が開示されている。この公報においては、特に、通常のテレビジョン映像と、自動車に設置した後方監視カメラからの映像とを切換えて、１つの表示装置に表示できる車載用の表示装置が開示されている。
【０００４】
また、登録実用新案第３０４５４４３号公報においては、車載用の表示装置を、自動車のフロントガラスの中央付近に天井から吊り下げることによって、すべての同乗者からの視聴覚を確保して、同時に視聴を行なうことができる表示装置が開示されている。
【０００５】
上記の公報に開示された表示装置のほかに、同時に異なる複数の映像を表示することができる表示装置として、デュアル・ビュー・ディスプレイがある。
【０００６】
図３に、従来の技術に基づくデュアル・ビュー・ディスプレイの概略断面図を示す。図３の表示装置は、表示パネルの正面の左右の方向から見たときに、それぞれ異なる映像を同時に見ることができる表示装置である。
【０００７】
表示パネル４は、第１の映像を表示するためのａ１画素４１、ａ２画素４２およびａ３画素４３を含む。また、表示パネル４は、第２の映像を表示するためのｂ１画素４４、ｂ２画素４５およびｂ３画素４６を含む。それぞれの画素は、駆動部１によって駆動され、第１の映像および第２の映像が、表示パネル４の表面に映し出される。表示パネル４の正面には、スリット３が配置されている。スリット３は、視聴者がスリット３を介して表示パネル４を見るように配置されている。
【０００８】
図３において、視聴者は、視点６１から表示パネル４を見たときに、視線５１，５２に示すように、スリットの間隙の部分を通してａ１画素４１、ａ２画素４２およびａ３画素４３を見ることができる。すなわち、視聴者は、視点６１から第１の映像を見ることができる。これに対して、ｂ１画素４４、ｂ２画素４５およびｂ３画素４６はスリット３に遮断されているため、視点６１から第２の映像を見ることはできない。
【０００９】
一方で、視聴者は、視点６２から表示パネル４を見たときに、視線５３，５４に示すように、ｂ１画素４４、ｂ２画素４５およびｂ３画素４６を見ることができる。すなわち、視聴者は、視点６２から第２の映像を見ることができる。これに対して、ａ１画素４１、ａ２画素４２およびａ３画素４３は、スリット３に遮断され、視点６２から第１の映像を見ることはできない。
【００１０】
このように、デュアル・ビュー・ディスプレイは、表示パネルに複数の映像を同時に映し出して、所定の方向から複数の映像のうち、１つの映像を見ることができるように形成されている。
【００１１】
図４に表示パネル４の概略拡大正面図を示す。表示パネル４は、一方の周辺部である第１周辺部２１、中央部２２および他方の周辺部である第２周辺部２３を含む。
【００１２】
第１周辺部２１においては、第１の映像のためのａ１画素４１と、第２の映像のためのｂ１画素４４とが形成されている。ａ１画素４１とｂ１画素４４とは、互いに隣り合うように配置されている。また、表示パネル４を正面から見たときに、上下方向にａ１画素４１が配列するように形成され、また、上下方向にｂ１画素４４が配列するように形成されている。
【００１３】
中央部２２においても同様に、第１の映像のためのａ２画素４２と第２の映像のためのｂ２画素４５とが、それぞれ上下方向に配列され、互いに隣り合うように形成されている。また、第２周辺部２３においても、第１の映像のためのａ３画素４３と第２の映像のためのｂ３画素４６とが、それぞれ上下方向に配列され、互いに隣り合うように形成されている。
【００１４】
このように、第１の映像を表示するための画素と第２の映像を表示するための画素とが、表示パネルを表面から見たときの左右方向において、交互に配置されている。それぞれの画素の形状および面積は、表示パネル全体を通じて、ほぼ一定になるように形成されている。
【特許文献１】特開平２−１４４２４２号公報
【特許文献２】登録実用新案第３０４５４４３号公報
【発明の開示】
【発明が解決しようとする課題】
【００１５】
上記の特許文献１に開示された表示装置においては、それぞれの人が異なる映像を見ることができるものの、同時に複数の映像を表示して、それぞれの人が異なる映像を見ることができないという問題があった。また、上記の特許文献２においては、複数の人が一度に同じ映像を見ることができるものの、それぞれの人が異なる映像を見ることができないという問題があった。
【００１６】
図３および図４に示したデュアル・ビュー・ディスプレイにおいては、表示パネルに対して見る角度を変えることによって、それぞれの人が異なる映像を同時に見ることができる。しかし、図３において、視点６１から第１の映像を見たときに、視点６１からａ１画素４１までの距離、視点６１からａ２画素までの距離、および視点６１からａ３画素４３までの距離がそれぞれ異なるため、第１の映像を見たときに映像が歪んでしまうという問題があった。また、同様に視点６２から第２の映像を見ると、第２の映像が歪んでしまうという問題があった。
【００１７】
本発明は、上記の問題点を解決するためになされたものであり、異なる方向から見たときに、互いに異なる映像を同時に見ることができる表示パネルおよび表示装置において、映像の歪みを低減することを目的とする。
【課題を解決するための手段】
【００１８】
上記目的を達成するため、本発明に基づく表示パネルは、正面から見たときの左右方向のうち、一方から見たときに第１の映像を映し出すための複数の第１画素と、上記左右方向のうち、他方から見たときに第２の映像を映し出すための複数の第２画素とを備える。上記複数の第１画素および上記複数の第２画素のうち少なくとも一方は、上記左右方向に沿って面積が異なるものが並べられている。この構成を採用することにより、異なる方向から見たときに、互いに異なる映像を同時に見ることができる表示パネルにおいて、映像の歪みを低減することができる。
【００１９】
上記発明において好ましくは、上記複数の第１画素および上記複数の第２画素のうち少なくとも一方は、上記左右方向に沿って、１つの画素あたりの面積が徐々に変化するように形成されている。この構成を採用することにより、上記映像の上記歪みを防止することができる。
【００２０】
上記発明において好ましくは、上記複数の第１画素と上記複数の第２画素とは、互いに隣り合うように形成され、互いに隣り合って対応する１つの上記第１画素の面積と１つの上記第２画素の面積とを合せた面積が、ほぼ一定になるように形成されている。この構成を採用することにより、本発明に基づく表示装置を、１つの表示パネルに１つの映像を表示する通常の表示装置として用いることができる。
【００２１】
上記発明において好ましくは、上記複数の第１画素および上記複数の第２画素のうち少なくとも一方は、複数の絵素に分割されている。この構成を採用することにより、本発明をカラー表示装置に適用することができる。
【００２２】
上記目的を達成するため、本発明に基づく表示装置は、上述の表示パネルを備える。この構成を採用することにより、映像の歪みを低減したデュアル・ビュー・ディスプレイを提供することができる。
【発明の効果】
【００２３】
本発明によれば、異なる方向から見たときに互いに異なる映像を同時に見ることができる表示パネルまたは表示装置において、映像の歪みを低減することができる。
【発明を実施するための最良の形態】
【００２４】
（構成）
図１および図２を参照して、本発明に基づく表示パネルおよび表示装置について説明する。
【００２５】
図１は、本発明に基づく表示装置の概略断面図である。表示装置は、表示パネル２と、表示パネル２に形成されている画素を駆動するための駆動部１とを備える。また、表示装置は、表示パネル２の正面に配置されたスリット３を備える。
【００２６】
表示パネル２は、正面の一方の視点６１から見たときに第１の映像を映し出すための第１画素と、正面の他方の視点６２から見たときに第２の映像を映し出すための第２画素とを備える。本実施の形態においては、一方とは表示パネルを正面から見たときの左側を示し、他方とは右側を示す。第１画素は、ａ１画素３１、ａ２画素３２およびａ３画素３３を含む。第２画素は、ｂ１画素３４、ｂ２画素３５およびｂ３画素３６を含む。
【００２７】
スリット３は、視点６１から表示パネル２を見たときに、第１画素を見ることができ、第２画素がスリット３に隠されるように形成されている。また、スリット３は、視点６２から表示パネル２を見たときに、第２画素を見ることができ、第１画素がスリット３に隠されるように形成されている。
【００２８】
本実施の形態においては、駆動部１は、第１画素を駆動するための映像信号回路と、第２画素を駆動するための映像信号回路とを含む。すなわち、１つの駆動部で２つの複数の画素を個別に制御している。駆動部１は、接続部５を介して表示パネル２に電気的に接続されている。
【００２９】
本発明に基づく表示装置は、表示パネルの第１画素および第２画素のうち少なくとも一方の画素が、表示装置を正面から見たときの左右の方向（本発明においては、単に「左右方向」という。）に沿って、面積が異なるように形成されている。本実施の形態においては、第１画素としてのａ１画素３１、ａ２画素３２およびａ３画素３３が、左右方向のうち左側から右側に向かうにつれて、面積が徐々に大きくなるように形成されている。すなわち、視点６１から見たときに、視点６１と画素との距離が小さいａ１画素３１は、面積が小さくなるように形成され、視点６１と画素との距離が大きいａ３画素３３は、面積が大きくなるように形成されている。
【００３０】
一方で、左右方向のうち右側から左側に向かうにつれて、第２画素の面積が徐々に大きくなるように形成されている。ｂ３画素３６、ｂ２画素３５およびｂ１画素３４は、右側から左側に向かうにつれて面積が徐々に大きくなるように形成されている。すなわち、視点６２から見たときに、視点６２と画素との距離が小さいｂ３画素３６は、面積が小さくなるように形成され、視点６２と画素との距離が大きいｂ１画素３４は、面積が大きくなるように形成されている。
【００３１】
図２に、本実施の形態における表示パネルを正面から見たときの拡大正面図を示す。図２（ａ）は、表示パネルのそれぞれの画素の説明図である。表示パネル２は、左右方向のうち、左側に位置する第１周辺部２１と、ほぼ中央に位置する中央部２２、および左右方向のうち右側に位置する第２周辺部２３とを含む。これらの何れの領域においても、第１画素と第２画素とは、左右方向に沿って交互に配置されている。すなわち、第１画素と第２画素とは互いに隣り合うように形成されている。第１画素および第２画素は、それぞれ表示装置を正面から見たときの上下方向に配列するように形成されている。
【００３２】
第１画素は、左右方向のうち左側から右側に向かうにつれて、幅が徐々に大きくなるように形成されている。すなわち、ａ１画素３１の幅よりもａ２画素３２の幅の方が徐々に大きくなるように形成され、ａ２画素３２の幅よりもａ３画素３３の幅の方が徐々に大きくなるように形成されている。それぞれの画素の高さは、表示パネルの高さ方向において一定になるように形成されている。
【００３３】
第２画素は、左右方向のうち右側から左側に向かうにつれて、幅が徐々に大きくなるように形成されている。すなわち、ｂ３画素３６の幅よりもｂ２画素３５の幅の方が徐々に大きくなるように形成され、ｂ２画素３５の幅よりもｂ１画素３４の幅の方が徐々に大きくなるように形成されている。このように、本実施の形態においては、それぞれの画素の幅が左右方向に沿って徐々に変化していることによって、画素の面積が異なっている。
【００３４】
また、本実施の形態においては、互いに隣り合って対応する１つの第１画素の面積と１つの第２画素の面積とを足し合わせた面積が、表示パネル２の左右方向において、ほぼ一定になるように形成されている。たとえば、表示パネル２において、ａ１画素３１とｂ１画素３４とを足し合わせた面積は、ａ２画素３２とｂ２画素３５とを足し合わせた面積、またはａ３画素３３とｂ３画素３６とを足し合わせた面積と、ほぼ同じになるように形成されている。
【００３５】
図２（ｂ）に、それぞれの画素に含まれる絵素の説明図を示す。図２（ｂ）は、表示パネルの拡大正面図である。図２（ｂ）に示すように、本実施の形態における表示パネルは、それぞれの画素が表示パネルを正面から見たときの上下方向に平行な分割線に沿って３分割されている。それぞれの画素は、第１絵素領域１１、第２絵素領域１２、および第３絵素領域１３を含む。それぞれの画素において、３つのそれぞれの絵素は、ＲＧＢに対応するように形成されている。このように、本実施の形態においては、１つの画素が３つの絵素を含む。
【００３６】
（作用・効果）
図１に示すように、本実施の形態における表示パネルは、第１画素と第２画素とを含み、第１画素および第２画素のうち少なくとも一方は、左右方向に沿って面積が異なるように形成されている。この構成を採用することにより、それぞれの映像に生じる歪みを低減することができる。
【００３７】
特に、図１に示すように、視点６１から表示パネル２を見たときに、画素までの距離が小さくなる視線５１に対応するａ１画素３１においては、面積が小さくなるように形成され、画素までの距離が遠くなる視線５２に対応するａ３画素３３においては、面積が大きくなるように形成されている。この構成を採用することにより、視点６１から第１の映像を見たときの、画素と視聴者との距離の差によって生ずる第１の映像の歪みを低減することができる。
【００３８】
また、視点６２からの距離が遠くなるｂ１画素３４においては、面積が大きくなるように形成され、視点６２からの距離が近くなるｂ３画素３６においては、面積が小さくなるように形成されている。この構成を採用することにより、視点６２から第２の映像を見たときの、第２の映像の歪みを低減することができる。
【００３９】
本実施の形態においては、第１画素および第２画素の両方の画素において、左右方向に沿って面積が異なるように形成されているが、特にこの形態に限られず、たとえば、第１の映像のための第１画素のみが、左右方向に沿って面積が異なるように形成されていても構わない。
【００４０】
また、本実施の形態においては、第１画素および第２画素のそれぞれが、左右方向に沿って、徐々に面積が変化するように形成されている。第１画素については、ａ１画素３１、ａ２画素３２およびａ３画素３３において示すように、左右方向のうち左側から右側に向かって徐々に面積が大きくなるように形成されている。この構成を採用することにより、第１の映像の歪みを防止することができる。
【００４１】
第２画素においても同様に、ｂ１画素３４、ｂ２画素３５およびｂ３画素３６において、左右方向のうち右側から左側に向かうにつれて、面積が徐々に大きくなるように形成されている。この構成を採用することにより、第２の映像の歪みを防止することができる。
【００４２】
本実施の形態においては、左右方向において、画素の面積が徐々に変化するように形成されているが、特にこの形態に限られず、たとえば、左右方向のうち左側の領域である第１周辺部の画素の面積、中央部の画素の面積、および、左右方向のうち右側の領域である第２周辺部の画素の面積が、それぞれの領域内で一定になるように形成されていてもよい。
【００４３】
この場合、たとえば、図２において、第１の映像に係る第１周辺部に配置された第１画素の面積よりも、中央部に配置された第１画素の面積が大きくなるように形成され、さらに中央部に配置された第１画素の面積よりも第２周辺部に配置された第１画素の面積が大きくなるように形成される。
【００４４】
また、本実施の形態における第１画素と第２画素とは、互いに隣り合って対応する１つの第１画素の面積と１つの第２画素の面積とを足し合わせた面積が、表示パネル全体を通じて一定になるように形成されている。この構成を採用することにより、スリットを表示パネルの正面から退避させて、本発明の表示装置を１つの映像を表示する通常の表示装置として用いることができる。すなわち、第１画素と第２画素とを組み合わせて、表示パネル全体に１つの映像を映し出す表示装置として用いることができる。ここでいう「ほぼ一定」とは、表示した１つの映像に歪みが生じない程度に一定であることを示す。スリットについては、機械的に移動を行なって表示パネルの正面から退避させるもののほかに、たとえば、液晶スイッチなどによって、スリット機能の有無の切り替えが行なわれるものでもよい。
【００４５】
本実施の形態における表示パネルは、第１画素および第２画素が、それぞれ複数の絵素に分割されている。この構成を採用することにより、第１の映像および第２の映像について、カラー表示が可能になる。本実施の形態においては、１つの画素に絵素が３つ形成されているが、特にこの形態に限られず、複数の絵素に分割されていればよい。また、本実施の形態においては、第１画素および第２画素の両方ともに、３分割されているが、特にこの形態に限られず、一方の画素のみが分割されていてもよい。たとえば、第１の映像をカラーで表示するように第１画素が分割され、第２の映像を白黒で表示するように第２画素が分割されていなくてもよい。
【００４６】
本実施の形態においては、１つの駆動部が形成され、この１つの駆動部によって、第１画素および第２画素がそれぞれ駆動されているが、特にこの形態に限られず、複数の駆動部が、それぞれの画素の駆動のために形成されていてもよい。
【００４７】
本発明に基づく表示パネルとしては、特に限定はなく、液晶表示パネルや有機ＥＬ（Electro Luminescence）表示パネルなどの画素を有する各種の表示パネルに適用することができる。
【００４８】
本実施の形態においては、左右方向で画素の面積が異なるように形成されていたが、特にこの形態に限られず、表示パネルを正面から見たときの上下方向において、画素の面積が異なるように形成されていても構わない。この場合には、上下方向において角度の異なる視点から映像を見たときに、それぞれの映像の歪みを低減することができる。または、表示パネルを正面から見たときの斜めの方向において、画素の面積が異なっていても構わない。この場合には、斜めの方向において角度の異なる視点から映像を見たときに、それぞれの映像の歪みを低減することができる。
【００４９】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００５０】
【図１】本発明に基づく表示装置の概略断面図である。
【図２】（ａ）および（ｂ）は、本発明に基づく表示パネルの拡大正面図である。
【図３】従来の技術に基づく表示装置の概略断面図である。
【図４】従来の技術に基づく表示パネルの拡大正面図である。
【符号の説明】
【００５１】
１  駆動部、２，４  表示パネル、３  スリット、５  接続部、１１  第１絵素領域、１２  第２絵素領域、１３  第３絵素領域、２１  第１周辺部、２２  中央部、２３  第２周辺部、３１，４１  ａ１画素、３２，４２  ａ２画素、３３，４３  ａ３画素、３４，４４  ｂ１画素、３５，４５  ｂ２画素、３６，４６  ｂ３画素、５１〜５４  視線、
６１，６２  視点。
【図１】
2005257758.tif 000003
【図２】
2005257758.tif 000004
【図３】
2005257758.tif 000005
【図４】
2005257758.tif 000006